(57)【要約】【課題】発光効率を向上させることができる電球形蛍光ランプを提供する。【解決手段】口金２が装着される透光性のカバー３と；放電路の内側に空洞１４が画成された発光管５と；カバーに装着されて発光管を収容するグローブ４と；発光管の空洞開口端部１４ａ内側を固定させて保持する一方、カバーに固定されるホルダー６と；口金内に配設される点灯回路６と；を具備している。【選択図】  図１
2006114351.tif 000002
【特許請求の範囲】
【請求項１】
口金が装着される透光性のカバーと；
放電路の内側に空洞が画成された発光管と；
上記カバーに装着されて上記発光管を収容するグローブと；
上記発光管の空洞開口端部内側を固定させて保持する一方、上記カバーに固定されるホルダーと；
上記口金内に配設される点灯回路と；
を具備していることを特徴とする電球形蛍光ランプ。
【請求項２】
上記発光管は、複数本のバルブを連結してこのバルブ内に単一の放電路を形成する連結部を有し、
上記ホルダーは、この発光管の連結部を支持する連結部支持部を有することを特徴とする請求項１記載の電球形蛍光ランプ。
【請求項３】
上記ホルダーは、
上記発光管の空洞側一端部内側を固定させて保持するランプ固定部と；
このランプ固定部を支持する一方、上記カバー内に固定される支持基体と；
を具備していることを特徴とする請求項１または２記載の電球形蛍光ランプ。
【請求項４】
上記支持基体が上記点灯回路の点灯回路部品を実装する点灯回路基板であることを特徴とする請求項３記載の電球形蛍光ランプ。
【発明の詳細な説明】
【技術分野】
【０００１】
本発明は白熱電球用等の口金を有する電球形蛍光ランプに関する。
【背景技術】
【０００２】
一般に、この種の電球形蛍光ランプは、白熱電球等の一般照明用電球のソケットに装着可能な口金を有するカバーを備えている。そして、このカバー内に点灯回路を収納し、かつ、カバーの開口部に発光管を固定したホルダーを取り付けるとともに発光管を収容するグローブの開口縁部を取り付け、カバーとグローブとを接着剤で接着した電球形蛍光ランプが知られている。
【０００３】
そして、近年では、さらなる発光効率向上のために、ホルダーに透光性を付与したものが知られている（例えば特許文献１参照）。
【特許文献１】特開２００３−２８８８０１号公報
【発明の開示】
【発明が解決しようとする課題】
【０００４】
しかしながら、このような従来の電球形蛍光ランプでは、ホルダーが透光性を有していても、このホルダーの大部分が不透光性のカバー内に収容されているので、この透光性のホルダーを透過した可視光は不透光のカバーにより遮光されてしまい、外部に光が出光されにくい。このために、発光効率の向上が必ずしも大きくないという課題がある。
【０００５】
本発明は、このような事情を考慮してなされたもので、発光効率を向上させることができる電球形蛍光ランプを提供することを目的とする。
【課題を解決するための手段】
【０００６】
本発明は、発光管の放電路の内側には、空洞が画成されており、この空洞側から発光管を支持することで蛍光ランプからの可視光を効率よく放射させるものである。この空洞部内に照射される可視光は発光管のバルブに囲まれているため互いに吸収し合い、外部へ放射される割合が低い。したがって、この空洞部で発光管を支持すれば、外部に放射される可視光がこの支持部材により遮光されることを低減できる点に着目してなされたものである。
【０００７】
請求項１に係る発明は、口金が装着される透光性のカバーと；放電路の内側に空洞が画成された発光管と；上記カバーに装着されて上記発光管を収容するグローブと；上記発光管の空洞開口端部内側を固定させて保持する一方、上記カバーに固定されるホルダーと；上記口金内に配設される点灯回路と；を具備していることを特徴とする電球形蛍光ランプである。
【０００８】
請求項２に係る発明は、上記発光管は、複数本のバルブを連結してこのバルブ内に単一の放電路を形成する連結部を有し、上記ホルダーは、この発光管の連結部を支持する連結部支持部を有することを特徴とする請求項１記載の電球形蛍光ランプであるである。
【０００９】
請求項３に係る発明は、上記ホルダーは、上記発光管の空洞側一端部内側を固定させて保持するランプ固定部と；このランプ固定部を支持する一方、上記カバー内に固定される支持基体と；を具備していることを特徴とする請求項１または２記載の電球形蛍光ランプである。
【００１０】
請求項４に係る発明は、上記支持基体が上記点灯回路の点灯回路部品を実装する点灯回路基板であることを特徴とする請求項３記載の電球形蛍光ランプである。
【発明の効果】
【００１１】
請求項１に係る発明によれば、発光管の空洞部内側から発光管をホルダーにより保持するので、このホルダーにより発光管からの可視光を遮蔽することを抑制し、可視光の多くを放射することができる。さらに、カバーが透光性であるので、発光管から照射される可視光を効率よく外部に照射でき、発光効率を向上させることができる。
【００１２】
また、不透光性の点灯回路を、不透光性の口金内に配設するので、発光効率を一層向上させることができる。
【００１３】
すなわち、本発明によれば、口金以外の殆どの部分を発光させることができるので、発光効率を向上させることができるうえに、白熱電球の配光特性に近似した配光特性を得ることができる。
【００１４】
請求項２に係る発明によれば、発光管の連結部に、ホルダーの連結部支持部を当接し支持させることにより、発光管に対するホルダーの取付位置を簡単に位置決めすることができる。
【００１５】
請求項３に係る発明によれば、ホルダーを、発光管の空洞部内側を固定させるランプ固定部と、カバー内に固定される支持基体とを具備しているので、このランプ固定部を発光管に固定させる作業と、支持基体をカバーに固定させる作業とを２工程で行なうことができる。このために、ホルダーの組付作業の作業性と確実性を共に向上させることができる。
【００１６】
請求項４に係る発明によれば、ホルダーの支持基体として点灯回路基板を兼用するので、部品点数の削減を図ることができる。このために、電球形蛍光ランプの組立工数と組立コストの削減を共に図ることができる。
【発明を実施するための最良の形態】
【００１７】
以下、本発明の実施の形態を添付図面に基づいて説明する。なお、これらの図中、同一または相当部分には同一符号を付している。
【００１８】
図１は本発明の第１の実施形態に係る電球形蛍光ランプ１の概略縦断面図、図２は図１の要部拡大底面図である。
【００１９】
図１に示すように電球形蛍光ランプ１は、白熱電球等の一般照明用電球のソケットに装着可能なＥ２６形の口金２を備えた透光性を有するカバー３、透光性を有するグローブ４、グローブ４内に収容された蛍光ランプの発光管５、カバー３またはグローブ４、あるいはこれらの境界部内で発光管５を支持するホルダー６、口金２内に収容された点灯回路７を備えている。カバー３とグローブ４とから構成される外囲器は、一般照明用電球の規格寸法に近似する外形に形成されている。一般照明用電球とは、ＪＩＳ  Ｃ  ７５０１に定義されるものである。以下、口金２側を下側、グローブ４側を上側として説明する。
【００２０】
カバー３は、ポリカーボネイト（ＰＣ）やポリエチレンテレフタレート（ＰＢＴ）などの耐熱性合成樹脂などにより透明に形成されたカバー本体３ａと、口金端部３ｂとを一体に連成している。カバー本体３ａは、図３中上方に拡開するほぼ円筒形状をなし、口金下端部３ｂ外面に、Ｅ２６形などの口金２が外嵌され、接着剤またはかしめなどにより固定されている。
【００２１】
カバー３およびグローブ４は、透明あるいは光拡散性を有する乳白色などで、ガラスあるいは合成樹脂からなり、グローブ４は一般照明用電球のガラス球とほぼ同一形状の滑らかな球面状に形成され、下部開口部の縁部がカバー３の上端の開口部の内側に嵌合されて接着剤ｇにより固着されている。なお、カバー３およびグローブ４は、拡散膜などの別部材を組み合わせ、輝度の均一性を向上させることもできる。
【００２２】
このような透光性を有するカバー３およびグローブ４と後述する発光管５との組合せによって、口金２の方向に照射される光出力が増加し、一般照明用電球に近い配光特性を得ることができる。
【００２３】
図１，２に示すように、発光管５は、ガラス製のバルブ８を有し、このバルブ８の内面に蛍光体（蛍光体層）が形成され、バルブ８内に封入ガスとして、例えばアルゴンなどの希ガスおよび水銀が封入され、バルブ８の両端に一対の電極９，９がピンチシール等によって封装されている。
【００２４】
バルブ８は、例えば並列４Ｕ管に構成されており、４本のＵ字状屈曲形バルブ１０，１１，１２，１３を所要の間隔を置いて並設している。これらバルブ１０〜１３の端部は同一円周上に配置され、４本のバルブ１０〜１３により囲まれた空洞部１４が画成されている。この空洞部１４は、Ｕ字バルブ１０〜１３の屈曲側に位置する一端が半球状の略円筒形状をなし、他端面には空洞開口端１４ａが形成されている。
【００２５】
これらバルブ１０〜１３は、その図１中下端部近傍同士を連結管１５により順次連結して１本の連続した放電路を形成している。なお、図１では図示の便宜上、４本のＵ字状屈曲形バルブ１０〜１３のうち、１本のみを図示し、その他を図示省略している。これは後述する図３，６〜９においても同様である。
【００２６】
Ｕ字状屈曲形バルブ１０〜１３の少なくとも１本の軸方向一端には、所要数の排気管とも称される後述の円筒状細管がそれぞれバルブ内と連通状態となるよう突設されている。バルブ７内の排気は、この細管を通じて行なわれるとともに、封入ガスが封入されて置換された後、各細管を溶断することによって封止される。なお、この細管内に後述する主アマルガムを封入していても構わない。
【００２７】
各電極９は、例えばタングステン（Ｗ）ワイヤを三重巻きしたトリプルコイルからなるフィラメントコイルを有し、このフィラメントコイルがビーズステムによって固定された一対のウエルズ（導入線）により支持されている。各ウエルズがＵ字状屈曲形バルブ１０〜１３の軸方向端部のガラスに封着されたジュメット線を介して、各Ｕ字状屈曲形バルブ１０〜１３の外部に導出された４本のアウターリード１６，１６，…に接続されている。これらアウターリード１６，…は点灯回路７に接続される。
【００２８】
点灯回路７は、口金２の開口端部内にて図１中、水平状に配置固定される円板状の回路基板７ａを備え、この回路基板７ａに、複数の点灯部品（電気部品）７ｂ，７ｂ…を実装して、高周波点灯を行なうインバータ回路（高周波点灯回路）に構成されている。
【００２９】
そして、図１に示すようにホルダー６は、発光管５の図１中下端部に固定されて保持するランプ固定部６ａと、透光性カバー３内に固定される支持基体の一例である支持基板６ｂと、この支持基板６ｂにランプ固定部６ａを連結して、このランプ固定部６ａを支持基板６ｂにより支持する連結支柱６ｃと、を透明または不透明のＰＢＴやＰＣ、あるいはポリエチレンテレフタレート（ＰＥＴ）等の合成樹脂により一体に連結連成している。
【００３０】
図２に示すようにランプ固定部６ａは、発光管５のほぼ円形状の空洞開口端１４ａ内に若干挿入されて、各Ｕ字状ガラスバルブ１０〜１３の下端部内周面に、側周面が内接する所要厚の円板に形成され、この円板側周面に、シリコン接着剤等の接着剤ｇにより各ガラスバルブ１０〜１３の下端部内周面を固着している。また、各ガラスバルブ１０〜１３の図１中下端部外周面には、ランプ固定部６ａとほぼ同じ高さにて、透光性を有するシレコン接着剤等の接着剤ｇにより固着している。
【００３１】
さらに、ランプ固定部６ａは、隣り合うＵ字状ガラスバルブ１０〜１３の下端部同士を連結する連結管１５の図１中下方へそれぞれ突出して、これら連結管１５を下方から支持する連結管支持部６ｄをそれぞれ一体に突設している。これらランプ固定部６ａの連結管支持部６ａと発光管５の連結管１５とは接着剤ｇにより固着してもよく、固着せずに単に載置させてもよい。
【００３２】
ランプ固定部６ａは、その図１中下面中央部に、連結支柱６ｃを一体に連成し、この連結支柱６ｃの図１中下端には、円板状の支持基板６ｂの図１中上面中央部を一体に連成している。
【００３３】
支持基板６ｂは透光性カバー３の口金２側端部（図１ではカバー３の下端部）内に嵌合され、または接着剤により固着されて固定されている。支持基板６ｂは、その板厚方向に貫通する４個のワイヤ挿通孔６ｅを穿設し、これらワイヤ挿通孔６ｅ内に、アウターリード１６をそれぞれ挿通させるようになっている。
【００３４】
したがって、この電球形蛍光ランプ１によれば、発光管５の空洞部１４側の開口端部１４ａをホルダー６のランプ固定部６ａにより保持し、発光管５の外周を囲む外周壁を有しないので、発光管５から外部へ照射される可視光をこの外周壁により遮光することを抑制することができる。このために、このランプ固定部６ａにより発光効率を低減させることを抑制することができる。
【００３５】
一方、発光管５からの発光を受光するカバー３が透光性であるので、カバー３側に向った可視光、発光効率を向上させることができる。
【００３６】
また、不透光性の点灯回路７を、不透光性の口金２内に配設したので、この点灯回路７をカバー３内に配設して点灯回路７により遮光量が増大する場合よりも、発光効率を向上させることができる。
【００３７】
すなわち、この電球形蛍光ランプ１によれば、口金２以外の殆どの部分を発光させることができるので、発光効率を向上させることができるうえに、白熱電球の配光特性に近似した配光特性を得ることができる。
【００３８】
さらに、発光管５の連結管１５に、ホルダー６の連結管支持部６ｄを当接し支持させることにより、ホルダー６による発光管５の支持強度と確実性を向上させることができる。さらに、発光管５に対するホルダー６の取付位置を簡単に位置決めすることができる。
【００３９】
また、ホルダー６を、発光管５を固定させるランプ固定部６ａと、カバー３内に固定される支持基板６ｂとを具備しているので、このランプ固定部６ａを発光管５に固定させる作業と、支持基板６ｂをカバー３に固定させる作業とを２工程で行なうことができる。このために、ホルダーの組付作業の作業性と確実性を共に向上させることができる。
【００４０】
また、これらランプ固定部６ａと支持基板６ｂとにより発熱量の多い発光管５と点灯回路７とを離間配置したので、電球形蛍光ランプ１全体としての高温昇温を抑制することができる。
【００４１】
図３は本発明の第２の実施形態に係る電球形蛍光ランプ１Ｓの概略縦断面図である。この電球形蛍光ランプ１Ｓは、上記図１，２で示す電球形蛍光ランプ１において、ホルダー６を第２のホルダー６Ｓに改良した点に主な特徴がある。
【００４２】
すなわち、第２のホルダー６Ｓは、発光管５の空洞側下端部を固定する第２のランプ固定部６ａＳを円筒状に形成して、その内部に空気層６ａＳａを形成している。また、この第２のランプ固定部６ａＳを支持する第２の支持基体６ｂＳを、カバー本体３ａの下部の一部を形成するように円筒状に構成し、連結支柱６ｃを省略している。
【００４３】
第２のランプ固定部６ａＳは、発光管５の空洞開口端部１４ａ内に所要長突出し、その突出部の外側周面に、発光管５のＵ字状ガラスバルブ１０〜１３のＵ字状内面を透明性を有するシリコン接着剤等の接着剤ｇにより固着している。
【００４４】
第２の支持基体６ｂＳは、その開口上端を円筒状の第２のランプ固定部６ａＳの開口端に一体に連結形成して、カバー３の下部と同径の逆円錐台形に形成され、カバー３の下半部を形成している。
【００４５】
そして、第２のランプ固定部６ａＳは、その図３中下部の側面に、貫通孔の横孔１７を穿設し、この横孔１７に、発光管５の細管１８を挿通させ、細管１８内の先端部には主アマルガム１９を収容している。
【００４６】
主アマルガム１９は、ビスマス、インジウムおよび水銀により構成される合金であり、細管１８の開口部よりも大径のほぼ球形状に形成され、バルブ８内の水銀蒸気圧を適正な範囲に制御する機能を有している。なお、主アマルガム１８は、ビスマス、インジウムの他に、錫、鉛を組み合わせた合金によって形成したものを用いてもよい。ここで、点灯始動時の光束立上り特性を良好にするために、主アマルガム１９の温度が２５℃のときに、０．０１Ｐａ以上、１００℃のときに０．４〜１．０Ｐａの水銀蒸気圧特性を呈するものを選定・使用することが望ましい。また、主アマルガム１９の水銀含有量は主アマルガム１９全質量に対し、３．０質量％以上とし、水銀蒸気圧特性を高くするのが有利である。
【００４７】
一方、第２の支持基体６ｂＳは、その直胴円筒状の下底６ｂＳａ部を口金２が外嵌固定される口金嵌合部に形成されている。
【００４８】
したがって、この電球形蛍光ランプ１Ｓによれば、主アマルガム１９を円筒状の第２のランプ固定部６ａＳ内の空気層６ａＳａ内に配設しているので、空気層６ａＳａの断熱効果により、発光管５からの発熱が主アマルガム１９へ熱伝導されることを低減することができる。このために、点灯中主アマルガム１９を最適な温度に保つことができ、管内の水銀蒸気圧を最適に抑制することができる。また、主アマルガム１９として水銀蒸気圧の高いアマルガムを使用することができるので、立上り特性を向上させることができる。
【００４９】
図４は本発明の第３の実施形態に係る電球形蛍光ランプ１Ｔの正面図、図５は同要部拡大縦断面図である。
【００５０】
この電球形蛍光ランプ１Ｔは、上記図１で示す電球形蛍光ランプ１のホルダー６を第３のホルダー６Ｔに構成した点に特徴があり、これ以外はこの電球形蛍光ランプ１とほぼ同様の構成である。すなわち、第３のホルダー６Ｔは、その一部を外気に露出させた点に特徴がある。
【００５１】
この第３のホルダー６Ｔは、上記第２のホルダー６Ｓの第２のランプ固定部６ａＳとほぼ同様の構成の第３のランプ固定部６ａＴと、この第３のランプ固定部６ａＴとほぼ同径の直胴円筒状の第３の支持基体６ｂＴと、を一体に連成してなる。この第３の支持基体６ｂＴは、上記第２の支持基体６ｂＳの口金嵌合部６ｂＳａと同様の口金嵌合部６ｂＴａを一体に連成している。
【００５２】
そして、第３のカバー３Ｔは、その下底部３ｂＴを、第３の支持基体６ｂＴの途中に固着して、ホルダー６の支持基体６ｂＴの一部を外気に露出させた点に特徴があり、これ以外は上記図１で示すカバー３と同様の構成である。このために、カバー３の底部３ｂＴとの固着部から口金２の図５中上端部までの第３の支持基体６ｂＴの一部は外気に露出させた外気露出部６ｂＴａに形成され、この外気露出部６ｂＴａによる外気への放熱効果の向上を図ることができる。
【００５３】
したがって、第３のホルダー６Ｔは、その内部の空気層６ａＳａと主アマルガム１９を、外気露出部６ｂＴａにより冷却することができるので、主アマルガム１９の最冷部を温度をさらに低下させることができる。
【００５４】
図６は本発明の第４の実施形態に係る電球形蛍光ランプ１Ｕの概略縦断面図である。この電球形蛍光ランプ１Ｕは、上記図１で示す電球形蛍光ランプ１のホルダー６を、そのカバー３を兼用する第４のホルダー６Ｕに構成した点に特徴があり、これ以外は第１の実施形態に係る電球形蛍光ランプ１と同様の構成である。
【００５５】
すなわち、第４のホルダー６Ｕは発光管５の空洞１４側端部（図６中下端部）を嵌入させて固定支持する支持溝６Ｕａを形成する一方、この支持溝６Ｕａの外側壁６Ｕｂの高さを低くして、この外側壁６Ｕｂにより発光管５の発光が遮光される遮光量の低減を図っている。また、この外側壁６Ｕｂ上にグローブ４の開口端を直接固着して透光性カバー３を省略している。第３のホルダー６Ｕの下端部外周面には、直接、口金２の開口上端部を外嵌して、かしめや接着剤等により固着している。
【００５６】
さらに、この第３のホルダー６Ｕを回路基板７の上に直接載置することにより、図１で示す第１の支持基体６ｂを省略している。これにより、部品点数の削減と組立工数の削減とを共に図ることができる。
【００５７】
図７は本発明の第５の実施形態に係る電球形蛍光ランプ１Ｖの概略縦断面図である。この電球形蛍光ランプ１Ｖは、図１で示す電球形蛍光ランプ１のホルダー６を第５のホルダー６Ｖに構成した点に特徴がある。
【００５８】
すなわち、第５のホルダー６Ｖは、これを図６で示す電球形蛍光ランプ１Ｕと同様に図１で示すカバー３として兼用することにより、このカバー３を省略すると共に、第５のホルダー６Ｖを構成するＰＢＴやＰＥＴ，ＰＣ等合成樹脂に、金属製等の放熱性フィラーを例えば４０質量％以上混合させることにより、放熱性を向上させた点に特徴がある。これにより、点灯回路７の回路温度を低減して信頼性を向上させることができる。
【００５９】
図８，図９，図１０は本発明の第６の実施形態に係る発光管５Ｗの正面図、同底面図、同展開図である。
【００６０】
この発光管５Ｗは並列４Ｕ形のＵ字バルブの中央配列のバルブ１１Ｗ，１２Ｗの管内径を、その両端配列のバルブ１０Ｗ，１３Ｗの管内径よも太径に形成した点に特徴がある。
【００６１】
すなわち、一般に、バルブ１０Ｗ〜１３Ｗの管内径を細くすると、ランプ電圧が上昇して発光効率が上昇するものの、ランプ電圧が上昇するために、点灯回路７に昇圧部品を追加しなければならず、回路温度とコスト面で不利である。
【００６２】
そこで、４本のＵ字バルブ１０Ｗ〜１３Ｗを並列に配列して連結管１５により順次接続して単一の放電路を形成する発光管５Ｗにおいて、放電路長が長くなる中央部のバルブ１１Ｗ，１２Ｗの管内径を、大きくすることにより、ランプ電圧の過上昇を防止することができると共に、発光管５Ｗ全体としての管内径を小さくし、小形化を図ることができる。
【００６３】
なお、上記各実施形態では、いわゆる４Ｕ並列形の発光管５，５Ｗを使用する場合について説明したが、本発明は、これに限定されるものではなく、例えば図１１で示すスパイラル形の蛍光ランプ５Ｓを発光管として使用してもよい。
【００６４】
すなわち、このスパイラル形の蛍光ランプ５Ｓにも、その内方には空洞１４があり、その一端（図１２では下端）には、その空洞に連通する開口端１４ａが形成されているので、この空洞開口端１４ａ内に上記ホルダー６，６Ｓ〜６Ｖのランプ固定部６ａ，６ａＳ〜６ａＶを挿入して固着することができる。
【００６５】
また、本発明はＵ字バルブの本数も限定されるものではなく、１本以上であれば、２，３，４，５，６，７本でもよく、８本以上でもよい。さらに、Ｕ字バルブの配列についても上記並列配置に限定されるものでなく、空洞開口端が三角形をなすデルタ配置や四角形、または四角形以上の多角形をなす多角形配置でもよい。
【図面の簡単な説明】
【００６６】
【図１】本発明の第１の実施形態に係る電球形蛍光ランプの概略縦断面図。
【図２】図１で示すホルダーのランプ固定部の底面図。
【図３】本発明の第２の実施形態に係る電球形蛍光ランプの概略縦断面図。
【図４】本発明の第３の実施形態に係る電球形蛍光ランプの概略縦断面図。
【図５】図４の要部拡大縦断面図。
【図６】本発明の第４の実施形態に係る電球形蛍光ランプの概略縦断面図。
【図７】本発明の第５の実施形態に係る電球形蛍光ランプの概略縦断面図。
【図８】本発明の第６の実施形態に係る発光管の正面図。
【図９】図８の底面図。
【図１０】図８で示す発光管の展開図。
【図１１】その他の発光管としてのスパイラル形発光管の正面図。
【符号の説明】
【００６７】
１，１Ｓ，１Ｔ，１Ｕ，１Ｖ…電球形蛍光ランプ、２…口金、３…遮光性カバー、４…グローブ、５…発光管、６，６Ｓ，６Ｔ，６Ｕ，６Ｖ…ホルダー、６ａ，６ａＳ，６ａＴ…ランプ固定部、６ｂ，６ｂＳ，６ｂＴ…支持基体、６ｄ…連結部支持部、７…点灯回路、７ａ…回路基板、７ｂ…点灯回路部品、９…電極、１０，１１，１２，１３…Ｕ字状バルブ、１４…空洞、１４ａ…空洞開口端、１５…連結管、ｇ…接着剤。
【図１】
2006114351.tif 000003
【図２】
2006114351.tif 000004
【図３】
2006114351.tif 000005
【図４】
2006114351.tif 000006
【図５】
2006114351.tif 000007
【図６】
2006114351.tif 000008
【図７】
2006114351.tif 000009
【図８】
2006114351.tif 000010
【図９】
2006114351.tif 000011
【図１０】
2006114351.tif 000012
【図１１】
2006114351.tif 000013